(57)【要約】【課題】作動手段の容量を小さなものとすることのできるエレベータかごの防音装置の提供。【解決手段】かご本体２の出入口を開閉可能な扉３の上端部、下端部、及び側端部の少なくとも１つに移動可能に取付けられ、かご本体２と扉３との間隙を閉鎖する作動片６と、この作動片６の移動を案内するガイド手段（７ａ）と、かご本体２、及び作動片６の一方に設けられ、作動片６をかご本体２に押付ける作動手段（８）と、作動片６に定位置方向へ復帰力を付与する復帰手段と、作動手段（８）を駆動するための電力を供給する電源手段とを備えている。比較的小さな駆動力で変位可能な作動片６によりかご本体２と扉３との間隙を閉鎖するものであることから、作動手段（８）の容量を小さなものとすることができる。【選択図】図１
2007191259.tif 000002
【特許請求の範囲】
【請求項１】
出入口を有するエレベータのかご本体と、上記出入口を開閉可能な扉を有するエレベータかごに設けられ、エレベータかごの昇降時にエレベータかご内に伝わる音を低減するエレベータかごの防音装置において、
上記扉の上端部、下端部、及び側端部の少なくとも１つに移動可能に取付けられ、上記かご本体と上記扉との間隙を閉鎖する作動片と、この作動片の移動を案内するガイド手段と、上記かご本体、及び上記作動片の一方に設けられ、上記作動片を上記かご本体に押付ける作動手段と、上記作動片に定位置方向へ復帰力を付与する復帰手段と、上記作動手段を駆動するための電力を供給する電源手段とを備えたことを特徴とするエレベータかごの防音装置。
【請求項２】
上記作動手段の作動を制御する制御手段を備えたことを特徴とする請求項１記載のエレベータかごの防音装置。
【請求項３】
上記作動手段は、電磁石から成ることを特徴とする請求項１記載のエレベータかごの防音装置。
【請求項４】
上記復帰手段は、上記作動片と上記かご本体との間に介設されるばねから成ることを特徴とする請求項１記載のエレベータかごの防音装置。
【請求項５】
上記復帰手段は、上記扉に設けられる支持体と、上記作動片に傾斜を付けて形成されると共に、上記支持体が挿通される長穴とから成ることを特徴とする請求項１記載のエレベータかごの防音装置。
【請求項６】
上記支持体及び上記長穴は、上記ガイド手段を兼ね備えることを特徴とする請求項５記載のエレベータかごの防音装置。
【請求項７】
上記電源手段は、エレベータの運動エネルギを電気エネルギに変換するエネルギ変換部を有して成ることを特徴とする請求項１記載のエレベータかごの防音装置。
【発明の詳細な説明】
【技術分野】
【０００１】
本発明は、エレベータかごの昇降時にエレベータかご内に伝わる音を低減するエレベータかごの防音装置に関する。
【背景技術】
【０００２】
この種の従来技術として、かご本体と扉の上端部、下端部、側端部のいずれか少なくとも一箇所との間隙を閉鎖し得る閉鎖手段、例えば扉の下端と一体的に備えられる遮蔽壁と、エレベータかごの速度が所定の速度以上で昇降しているとき、閉鎖手段を作動する作動手段とを備え、エレベータかごがあらかじめ定められた所定値に達すると作動手段により閉鎖手段である遮蔽壁をかご本体側に押付け、エレベータかごの昇降時にエレベータかご内に伝わる音を低減するものが提案されている（例えば、特許文献１参照）。尚、この特許文献に記載される閉鎖手段は上述した遮蔽壁に限らずいずれも扉と一体的に設けられるものである。
【特許文献１】特開２００１−３２２７８６号公報（段落番号００１４〜００２３、第１図）
【発明の開示】
【発明が解決しようとする課題】
【０００３】
しかしながら、上述したエレベータかごの防音装置は、かご本体と扉の間隙を閉鎖し得る閉鎖手段、即ち遮蔽壁は扉と一体的に備えられるものであり、間隙を閉鎖する際に作動手段は遮蔽壁と共に扉全体をかご本体側に変位させる必要があった。このように比較的重量のある扉を変位させるためには作動手段の容量を大きなものにする必要があり、設置スペース及びコストの観点から問題がある。
【０００４】
本発明は、上述した従来技術における実状からなされたもので、その目的は、作動手段の容量を小さなものとすることのできるエレベータかごの防音装置を提供することにある。
【課題を解決するための手段】
【０００５】
上記目的を達成するために、本発明は、出入口を有するエレベータのかご本体と、上記出入口を開閉可能な扉を有するエレベータかごに設けられ、エレベータかごの昇降時にエレベータかご内に伝わる音を低減するエレベータかごの防音装置において、上記扉の上端部、下端部、及び側端部の少なくとも１つに移動可能に取付けられ、上記かご本体と上記扉との間隙を閉鎖する作動片と、この作動片の移動を案内するガイド手段と、上記かご本体、及び上記作動片の一方に設けられ、上記作動片を上記かご本体に押付ける作動手段と、上記作動片に定位置方向へ復帰力を付与する復帰手段と、上記作動手段を駆動するための電力を供給する電源手段とを備えたことを特徴としている。
【０００６】
このように構成した本発明は、エレベータかごの昇降時、作動手段により扉に移動可能に取付けられる作動片を変位させ、この作動片をかご本体に押付けることによりかご本体と扉との間隙を閉鎖し、エレベータかご内に伝わる音を低減する。一方、エレベータかごの停止時には、復帰手段により作動片に作用する復帰力によりこの作動片を定位置、即ちかご本体から離れた位置に復帰させ、扉の開閉を可能とする。このように比較的小さな駆動力で変位可能な作動片によりかご本体と扉との間隙を閉鎖するものであることから、従来のように扉全体をかご本体側に変位させるものに比べて、作動手段の容量を小さなものとすることができる。
【発明の効果】
【０００７】
本発明は、小さな容量の作動手段によりかご本体と扉との間隙を閉鎖してエレベータかご内に伝わる音を低減することができ、したがって、装置の省スペース化を図ることができると共に、コストの低減を図ることができる。
【発明を実施するための最良の形態】
【０００８】
以下、本発明に係るエレベータかごの防音装置の実施の形態を図に基づいて説明する。
【０００９】
図１は本発明のエレベータかごの防音装置の第１実施形態を示す横断面図、図２は図１の作動片により間隙を閉鎖した状態を示す横断面図、図３は図１の作動片が扉から離間した状態を示す側面図、図４は図１の作動片により間隙を閉鎖した状態を示す側面図、図５は防音装置が備えられるエレベータかごの正面図である。
【００１０】
エレベータかご１は図に示すように、出入口を有するエレベータかご本体２と、出入口を開閉可能な扉３とを備えている。この扉３は両開き式の扉であり、駆動装置４により敷居５に沿って閉扉及び開扉動作を行うようになっている。
【００１１】
そして、エレベータかご１は防音装置として、扉３の外周、即ち上端部、下端部、及び側端部に移動可能に取付けられ、かご本体２と扉３との間隙を閉鎖する作動片６と、この作動片６の移動を案内するガイド手段、例えば扉３に設けられる支持体７ａ、及び作動片６に形成されると共に、支持体７ａが挿通される長穴７ｂと、かご本体２に設けられ、作動片６をかご本体２に押付ける作動手段、例えば電磁石８と、作動片６に定位置方向へ復帰力を付与する復帰手段、例えば作動片６とかご本体２との間に介設されるばね９と、電磁石８の作動を制御する制御手段、例えば制御部１０ａ及び速度検知部１０ｂと、電磁石を駆動するための電力を供給する電源手段、例えばエレベータかご１上に備え付けられたプーリ１１の回転運動によって発生する運動エネルギを電気エネルギに変換するエネルギ変換部１２と、作動片６のかご本体２との当接面に装着される緩衝部材１３とを備えている。
【００１２】
エレベータかご１は図示しない巻上機に連結され、巻上機の駆動に応じて建屋に形成される昇降路内を昇降し、エレベータかご１が乗場に停止すると、駆動装置４により扉３は敷居５に沿って開扉し、乗客の乗降を可能とする。この後、例えばエレベータかご１に乗り込んだ乗客によりなされた行き先階登録に応じてエレベータかご１は移動を開始する。そして、エレベータかご１の昇降速度が所定値に達したことを速度検知部１０ｂが検知すると、制御部１０ａは電磁石８を付勢し作動片６をかご本体２方向に吸引する。この吸引に応じて作動片６はばね９の反発力に打ち勝ちかご本体２方向に変位し、次いで図２及び図４に示すようにかご本体２に密着する。このとき作動片６は、扉３に設けられる支持体７ａ、及び作動片６に形成される長穴７ｂによりその変位動作が案内される。このようにかご本体２と扉３との間隙が作動片６により閉鎖されることにより、エレベータかご１が昇降する際にエレベータかご１内に伝わる音が低減される。
【００１３】
次いで、エレベータかご１が目的階床に近づき減速を始め、エレベータかご１の昇降速度が所定値に達したことを速度検知部１０ｂが検知すると、制御部１０ａは電磁石８を消磁する。この電磁石８の消磁に応じて作動片６はばね９の反発力により図１及び図３に示すように定位置、即ちかご本体２から離れた位置に復帰し、扉３の開閉を可能とする。
【００１４】
本実施形態によれば、比較的小さな駆動力で変位可能な作動片６によりかご本体２と扉３との間隙を閉鎖してエレベータかご１内に伝わる音を低減するものであることから、作動手段である電磁石８の容量を小さなものとすることができ、これによって、装置の省スペース化を図ることができると共に、コストの低減を図ることができる。また、電磁石８の付勢及び消磁による作動片６の変位がガイド手段である支持体７ａ及び長穴７ｂにより案内されることから、その変位動作を円滑なものとすることができる。さらに、エネルギ変換部１２によりプーリ１１の回転運動によって発生する運動エネルギから電気エネルギに変換され得た電力により電磁石８を駆動することから、外部からの電力供給を要することなく作動片６及び電磁石８の駆動が可能となる。さらにまた、作動片６のかご本体２との当接面に緩衝部材１３を装着することにより、作動片６がかご本体２に当接する際の衝撃を低減し、衝撃音の発生及び装置の損傷を防ぐことができる。
【００１５】
尚、本実施形態では作動片６を扉３の上端部、下端部、及び側端部のそれぞれに取付けた例を示したが、扉３の上端部、下端部、及び側端部のいずれか一箇所に取付ける構造としてもよい。本実施形態では作動手段を電磁石８としたが、モータ、アクチュエータ、ソレノイド等、作動片６を変位させることのできるものであればよい。また、本実施形態では作動手段である電磁石８をかご本体２に設けたが、例えばかご本体２の作動片との当接箇所が磁性体で形成されている場合、電磁石８を作動片に設けてもよい。さらに、本実施形態では制御部１０ａ及び速度検知部１０ｂによりエレベータかご１の昇降速度を検知して電磁石８の付勢及び消磁を制御し、作動片６によりかご本体２と扉３との間隙を閉鎖するようにしたが、例えばあらかじめエネルギ変換部１２の発電量と騒音の大きさの関係等を測定し、エレベータかご１が移動を開始し遮音が必要な騒音値に達したときに作動手段である電磁石８が作動片６を変位させ、ばね９の反発力に打ち勝ってかご本体２に押付けるのに必要な所定の発電量を発生できるよう、電磁石８、ばね９及びエネルギ変換部１２の性能を設定することもでき、この場合、上述した作動手段の作動を制御する制御手段、即ち制御部１０ａ及び速度検知部１０ｂを不要とすることができる。また、エネルギ変換部１２を用いず、外部から電力の供給を受けても、同様の防音効果が得られる。但し、制御部１０ａ速度検知部１０ａは必要である。
【００１６】
図６は本発明のエレベータかごの防音装置の第２実施形態を示す横断面図、図７は図６の作動片により間隙を閉鎖した状態を示す横断面図である。尚、前述した図１〜図５に示すものと同等のものには同一符号が付してある。
【００１７】
第２実施形態の防音装置は図６、図７に示すように、作動片６に定位置方向へ復帰力を付与する復帰手段が、扉３に設けられる支持体１７ａと、作動片６にかご本体へ向って上向きに傾斜を付けて形成されると共に、支持体１７ａが挿通される長穴１７ｂとから成り、かつ、これらの支持体１７ａ及び長穴１７ｂは、作動片６の移動を案内するガイド手段を兼ね備えている。
【００１８】
第２実施形態あっては、電磁石８が付勢し作動片６をかご本体２方向に吸引すると、この吸引に応じて作動片６はかご本体２方向に変位するが、このとき作動片６は、支持体１７ａ及びかご本体２へ向って上向きに傾斜を付けて形成された長穴１７ｂにより、図中右斜め上に上昇する方向に変位し、次いで、図７に示すようにかご本体２に密着する。一方、電磁石８が消磁すると作動片６は自重により支持体１７ａ及び長穴１７ｂにより案内されて、図中左斜め下方向に落下し図６に示すように定位置、即ちかご本体２から離れた位置に復帰し、扉３の開閉を可能とする。
【００１９】
第２実施形態では上述した第１実施形態と同等の効果を得ることができると共に、第１実施形態で復帰手段を構成するばねを要することがないことから、部品点数を減らし、コストの低減を図ることができる。
【図面の簡単な説明】
【００２０】
【図１】本発明のエレベータかごの防音装置の第１実施形態を示す横断面図である。
【図２】図１の作動片により間隙を閉鎖した状態を示す横断面図である。
【図３】図１の作動片が扉から離間した状態を示す側面図である。
【図４】図１の作動片により間隙を閉鎖した状態を示す側面図である。
【図５】防音装置が備えられるエレベータかごの正面図である。
【図６】本発明のエレベータかごの防音装置の第２実施形態を示す横断面図である。
【図７】図６の作動片により間隙を閉鎖した状態を示す横断面図である。
【符号の説明】
【００２１】
１  エレベータかごドア
２  かご本体
３  扉
４  駆動装置
５  敷居
６  作動片
７ａ、１７ａ  支持体（ガイド手段）
７ｂ、１７ｂ  長穴（ガイド手段）
８  電磁石（作動手段）
９  ばね（復帰手段）
１０ａ  制御部（制御手段）
１０ｂ  速度検知器（制御手段）
１１  プーリ
１２  エネルギ変換部
【図１】
2007191259.tif 000003
【図２】
2007191259.tif 000004
【図３】
2007191259.tif 000005
【図４】
2007191259.tif 000006
【図５】
2007191259.tif 000007
【図６】
2007191259.tif 000008
【図７】
2007191259.tif 000009